(57)【要約】【課題】主なる屋根の棟と副なる屋根の棟が平面視で直交する屋根構造において、主なる屋根の棟より副なる屋根の棟が低くされたものを構築すること。【解決手段】主なる屋根２０と副なる屋根３０とからなり、両屋根２０、３０の棟が平面視で直交し、かつ主なる屋根２０の棟より副なる屋根３０の棟が低くされた屋根構造において、主なる屋根２０の棟からその勾配に添って下降し、かつ副なる屋根３０の棟に添って水平に延びる曲り梁３１を設けたもの。【選択図】  図２
2004285673.tif 000002
【特許請求の範囲】
【請求項１】
主なる屋根と副なる屋根とからなり、両屋根の棟が平面視で直交し、かつ主なる屋根の棟より副なる屋根の棟が低くされた屋根構造において、
主なる屋根の棟からその勾配に添って下降し、かつ副なる屋根の棟に添って水平に延びる曲り梁を設けたことを特徴とする屋根構造。
【請求項２】
前記曲り梁が、前記主なる屋根の棟に添って水平に延びる大梁に接続プレートを介して接続された請求項１に記載の屋根構造。
【請求項３】
前記主なる屋根が、大梁と屋根下の居室躯体とに支持される屋根パネルにて形成され、前記副なる屋根が、曲り梁と屋根下の居室躯体とに支持される屋根パネルにて形成される請求項２に記載の屋根構造。
【発明の詳細な説明】
【０００１】
【発明の属する技術分野】
本発明は、屋根構造に関する。
【０００２】
【従来の技術】
建物の屋根構造として、特許文献１に記載の如く、主なる屋根と副なる屋根とからなり、両屋根の棟が平面視で直交し、かつ主なる屋根の棟と副なる屋根の棟が同一高さにされたものが開示されている。この屋根構造は、主なる屋根の水平な棟梁と、副なる屋根の水平な棟梁とを直交させて接続するとともに、主なる屋根の上記棟梁に平行配置されて水平に延在し、かつ副なる屋根の勾配に合せて折曲げ状をなす中間梁を有するものである。
【０００３】
【特許文献１】
実開平４−２４９１０（１頁、第１図）
【０００４】
【発明が解決しようとする課題】
従来技術には以下の問題点がある。
▲１▼主なる屋根の棟より副なる屋根の棟が低くされた屋根構造には適用できない。
【０００５】
▲２▼主なる屋根と副なる屋根の棟より低い屋根裏面に中間梁が突出し、小屋裏を使いにくいものとしている。
【０００６】
本発明の課題は、主なる屋根の棟と副なる屋根の棟が平面視で直交する屋根構造において、主なる屋根の棟より副なる屋根の棟が低くされたものを構築することにある。
本発明の他の課題は、小屋裏の使い勝手を向上することにある。
【０００７】
【課題を解決するための手段】
請求項１の発明は、主なる屋根と副なる屋根とからなり、両屋根の棟が平面視で直交し、かつ主なる屋根の棟より副なる屋根の棟が低くされた屋根構造において、主なる屋根の棟からその勾配に添って下降し、かつ副なる屋根の棟に添って水平に延びる曲り梁を設けたものである。
【０００８】
請求項２の発明は、請求項１の発明において更に、前記曲り梁が、前記主なる屋根の棟に添って水平に延びる大梁に接続プレートを介して接続されたものである。
【０００９】
請求項３の発明は、請求項１又は２の発明において更に、前記主なる屋根が、大梁と屋根下の居室躯体とに支持される屋根パネルにて形成され、前記副なる屋根が、曲り梁と屋根下の居室躯体とに支持される屋根パネルにて形成されるものである。
【００１０】
【作用】
請求項１の発明によれば下記▲１▼の作用がある。
▲１▼主なる屋根の棟と副なる屋根の棟が平面視で直交する屋根構造において、主なる屋根の棟からその勾配に添って下降し、かつ副なる屋根の棟に添って水平に延びる曲り梁を設けた。従って、主なる屋根の棟より副なる屋根の棟が低くされたものを構築できる。
【００１１】
請求項２の発明によれば下記▲２▼の作用がある。
▲２▼曲り梁を、主なる屋根の棟に添って水平に延びる大梁に接続プレートを介して接続した。従って、曲り梁を大梁に強固に接続できる
【００１２】
請求項３の発明によれば下記▲３▼の作用がある。
▲３▼主なる屋根を大梁と屋根パネルにて形成し、主なる屋根の最も高い棟の屋根裏面にのみ大梁を突出したから、主なる屋根の小屋裏の使い勝手を向上できる。また、副なる屋根を曲り梁と屋根パネルにて形成し、副なる屋根の最も高い棟の屋根裏面にのみ曲り梁を突出したから、副なる屋根の小屋裏の使い勝手を向上できる。
【００１３】
【発明の実施の形態】
図１はユニット建物に適用した屋根構造を示す模式平面図、図２は屋根構造を示し、（Ａ）は図１のＡ−Ａに沿う断面図、（Ｂ）は図２（Ａ）のＢ−Ｂに沿う断面図、図３は屋根パネルの割付を示し、（Ａ）は模式平面図、（Ｂ）は詳細平面図、図４は曲り梁と大梁の接続構造を示す断面図、図５は図４のＶ−Ｖに沿う断面図、図６は図４の平面図、図７は接続プレートを示す斜視図である。
【００１４】
ユニット建物１０は、図１に示す如く、複数の居室建物ユニット１１（居室躯体）によりＬ形の居室構造体１０Ａを構築し、居室構造体１０Ａの上に切妻屋根の主なる屋根２０と切妻屋根の副なる屋根３０とからなる屋根構造体１０Ｂを構築したものである。
【００１５】
屋根構造体１０Ｂは、図１、図２に示す如く、主なる屋根２０の棟と副なる屋根３０の棟が平面視で直交し、かつ主なる屋根２０の棟より副なる屋根３０の棟が低くされたものである。
【００１６】
屋根構造体１０Ｂは、主なる屋根２０の棟に添って水平に延びる大梁２１を有する。このとき、屋根構造体１０Ｂは、居室構造体１０Ａにおける主なる屋根２０の下で桁方向の両外側端に位置する居室建物ユニット１１の桁壁上に桁壁パネル（不図示）を設置し、大梁２１の両端部をこの桁壁パネルの小屋柱の柱頭に接合部材（不図示）を介して固定する。また、屋根構造体１０Ｂは、居室構造体１０Ａにおける主なる屋根２０の下で桁方向の中間部に位置する居室建物ユニット１１の壁上に天井梁（不図示）を設置し、大梁２１の中間部をこの天井梁の上に立設した束の束頭に固定する。
【００１７】
そして、主なる屋根２０は、図３に示す如く、大梁２１と、居室構造体１０Ａにおける主なる屋根２０の下で妻方向の外側端に位置する居室建物ユニット１１の妻壁とに支持される屋根パネル２２（図３（Ａ）の２２Ａ〜２２Ｊ）にて形成される。
【００１８】
屋根構造体１０Ｂは、図２に示す如く、主なる屋根２０の棟からその勾配に添って下降し、かつ副なる屋根３０の棟に添って水平に延びる曲り梁３１を有する。このとき、屋根構造体１０Ｂは、曲り梁３１の傾斜部３１Ａの自由端に後述する接続プレート３２を固定し、この接続プレート３２を大梁２１の中間部に接続する。また、屋根構造体１０Ｂは、居室構造体１０Ａにおける副なる屋根３０の下で妻方向の外側端に位置する居室建物ユニット１１の妻壁１２の上に妻壁パネル３３を設置し、曲り梁３１の水平部３１Ｂの自由端に接合部材（不図示）を固定し、この接合部材を妻壁パネル３３の小屋柱３３Ａの柱頭に接続する。また、屋根構造体１０Ｂは、居室構造体１０Ａにおける副なる屋根３０の下で妻方向の中間部に位置する壁上に天井梁３４を設置し、曲り梁３１の水平部３１Ｂの中間部をこの天井梁３４の上に立設した束３５の束頭に固定する。
【００１９】
そして、副なる屋根３０は、図３に示す如く、曲り梁３１と、居室構造体１０Ａにおける副なる屋根３０の下で桁方向の外側端に位置する居室建物ユニット１１の桁壁とに支持される屋根パネル３６（図３（Ａ）の３６Ａ〜３６Ｄ）にて形成される。
【００２０】
尚、主なる屋根２０の大梁２１は、図４、図６に示す如く、Ｈ形鋼にて構成され、上フランジの外面に笠木４１をボルト結合するとともに、下フランジの外面に合板４２をビス止めする。そして、大梁２１は、笠木４１の一側部から合板４２の一側部に渡って石膏ボード４３Ａを添設し、笠木４１の他側部から合板４２の他側部に渡って石膏ボード４３Ｂを添設し、合板４２の外面に石膏ボード４３Ｃを添設して備える。
【００２１】
また、副なる屋根３０の曲り梁３１は、図５、図６に示す如く、Ｈ形鋼にて構成され、上フランジの外面に笠木５１（傾斜部３１Ａの笠木５１Ａと水平部３１Ｂの笠木５１Ｂ）をボルト結合するとともに、上下のフランジとウエブによって区画される凹部にランバー５２をビス止めし、下フランジの外面に被覆材５３をビス止めし、笠木５１の一側部から被覆材５３の一側部に渡って被覆材５４を添設し、笠木５１の他側部から被覆材５３の他側部に渡って被覆材５５を添設して備える。
【００２２】
また、前述した接続プレート３２は、図７に示す如く、鋼板製の基板３２Ａと、基板３２Ａの中央部に溶接固定した鋼板製の起立板３２Ｂからなる。接続プレート３２は、図４、図６に示す如く、基板３２Ａを大梁２１のウエブにボルト６１により結合し、起立板３２Ｂを曲り梁３１のウエブにボルト６２により結合する。
【００２３】
従って、屋根構造体１０Ｂでは、大梁２１の笠木４１と曲り梁３１の笠木５１の上にそれぞれ屋根パネル２２、屋根パネル３６を固定し、その上に防水シート及び瓦等の屋根材を載せて主なる屋根２０、副なる屋根３０を構成する。
【００２４】
本実施形態によれば以下の作用を有する。
▲１▼主なる屋根２０の棟と副なる屋根３０の棟が平面視で直交する屋根構造において、主なる屋根２０の棟からその勾配に添って下降し、かつ副なる屋根３０の棟に添って水平に延びる曲り梁３１を設けた。従って、主なる屋根２０の棟より副なる屋根３０の棟が低くされたものを構築できる。
【００２５】
▲２▼曲り梁３１を、主なる屋根２０の棟に添って水平に延びる大梁２１に接続プレート３２を介して接続した。従って、曲り梁３１を大梁２１に強固に接続できる
【００２６】
▲３▼主なる屋根２０を大梁２１と屋根パネル２２にて形成し、主なる屋根２０の最も高い棟の屋根裏面にのみ大梁２１を突出したから、主なる屋根２０の小屋裏の使い勝手を向上できる。また、副なる屋根３０を曲り梁３１と屋根パネル３６にて形成し、副なる屋根３０の最も高い棟の屋根裏面にのみ曲り梁３１を突出したから、副なる屋根３０の小屋裏の使い勝手を向上できる。
【００２７】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の主なる屋根２０と副なる屋根３０は、寄棟屋根であっても良い。また、本発明は、ユニット建物の屋根構造に限らず、一般建物の屋根構造にも適用できる
【００２８】
【発明の効果】
本発明によれば、主なる屋根の棟と副なる屋根の棟が平面視で直交する屋根構造において、主なる屋根の棟より副なる屋根の棟が低くされたものを構築することができる。また、本発明によれば、小屋裏の使い勝手を向上することができる。
【図面の簡単な説明】
【図１】図１はユニット建物に適用した屋根構造を示す模式平面図である。
【図２】図２は屋根構造を示し、（Ａ）は図１のＡ−Ａに沿う断面図、（Ｂ）は図２（Ａ）のＢ−Ｂに沿う断面図である。
【図３】図３は屋根パネルの割付を示し、（Ａ）は模式平面図、（Ｂ）は詳細平面図である。
【図４】図４は曲り梁と大梁の接続構造を示す断面図である。
【図５】図５は図４のＶ−Ｖに沿う断面図である。
【図６】図６は図４の平面図である。
【図７】図７は接続プレートを示す斜視図である。
【符号の説明】
１１  居室建物ユニット（居室躯体）
２０  主なる屋根
２１  大梁
２２  屋根パネル
３０  副なる屋根
３１  曲り梁
３２  接続プレート
３６  屋根パネル
【図１】
2004285673.tif 000003
【図２】
2004285673.tif 000004
【図３】
2004285673.tif 000005
【図４】
2004285673.tif 000006
【図５】
2004285673.tif 000007
【図６】
2004285673.tif 000008
【図７】
2004285673.tif 000009